(57)【要約】【課題】ＢＤ−ＲＥの高速消去処理後、ユーザがユーザデータを再度読み取り可能にしたい場合、再度ユーザデータを読み取り可能とすることができる光ディスク装置を提供する。【解決手段】リモコン１１において高速消去処理開始操作がされると、制御部５はディスク記録再生部３がＢＤ−ＲＥが有するＤＭＡ（Ｄｅｆｅｃｔ  Ｍａｎａｇｅｍｅｎｔ  Ａｒｅａ）から読み出したデータをＲＡＭ９に記憶させ、ディスク記録再生部３がＤＭＡからデータを消去し、リモコン１１においてディスク復帰処理開始操作がされると、ディスク記録再生部３がＲＡＭ９に記憶されたデータをＤＭＡに記録させる。【選択図】図１
2008146765.tif 000002
【特許請求の範囲】
【請求項１】
記憶媒体と、
ＢＤ−ＲＥ（Ｂｌｕ−ｒａｙ  Ｄｉｓｃ  ＲＥｗｒｉｔａｂｌｅ）が有する少なくとも一つのＤＭＡ（Ｄｅｆｅｃｔ  Ｍａｎａｇｅｍｅｎｔ  Ａｒｅａ）または少なくとも一つのＤＭＡの組からデータを読み出す読み出し手段と、
前記読み出し手段によって読み出されたデータの一つを前記記憶媒体に記憶させる記憶手段と、
前記読み出し手段によって読み出されたデータを前記少なくとも一つのＤＭＡまたは前記少なくとも一つのＤＭＡの組から消去する消去手段と、
前記記憶手段に記憶されたデータをＢＤ−ＲＥが有する少なくとも一つのＤＭＡまたは少なくとも一つのＤＭＡの組に記録させる記録手段と、
を備え、
前記記憶手段は、ＢＤ−ＲＥに記録された最終記録日時情報および／またはＭＩＤ（Manufacturer's Identification）コードを前記記憶媒体に記憶させ、
ＢＤ−ＲＥに記録された最終記録日時情報と前記記憶媒体に記憶された最終記録日時情報との比較結果および／またはＢＤ−ＲＥに記録されたＭＩＤコードと前記記憶媒体に記憶されたＭＩＤコードとの比較結果に応じて前記記録手段は前記記録をするか否かを切り換え、
前記記録手段が前記記録を行った後、記録が行われたＤＭＡまたはＤＭＡの組に記録されたデータとＢＤ−ＲＥが有するユーザデータ領域に記録されたユーザデータとの整合性を確認する確認手段を備え、
前記読み出し手段が複数のＤＭＡまたは複数のＤＭＡの組から読み出した各データが同一であるか否かに応じて前記記憶手段は前記記憶を行うか否かを切り換え、前記消去手段は前記消去を行うか否かを切り換える、ことを特徴とする光ディスク装置。
【請求項２】
ＢＤ−ＲＥ（Ｂｌｕ−ｒａｙ  Ｄｉｓｃ  ＲＥｗｒｉｔａｂｌｅ）が有する少なくとも一つのＤＭＡ（Ｄｅｆｅｃｔ  Ｍａｎａｇｅｍｅｎｔ  Ａｒｅａ）または少なくとも一つのＤＭＡの組からデータを読み出す読み出し手段と、
前記読み出し手段によって読み出されたデータの一つを前記ＢＤ−ＲＥが有する所定の領域に記録させる第一の記録手段と、
前記読み出し手段によって読み出されたデータを前記少なくとも一つのＤＭＡまたは前記少なくとも一つのＤＭＡの組から消去する消去手段と、
前記所定の領域に記憶されたデータをＢＤ−ＲＥが有する少なくとも一つのＤＭＡまたは少なくとも一つのＤＭＡの組に記録させる第二の記録手段と、
を備え、
前記第一の記録手段は、ドライブ固有情報および／またはＢＤ−ＲＥに記録された最終記録日時情報を前記所定の領域に記録させ、
前記所定の領域に記録されたドライブ固有情報が所定のドライブの一つを表すか否か、および／またはＢＤ−ＲＥに記録された最終記録日時情報と前記所定の領域に記録された最終記録日時情報との比較結果に応じて前記第二の記録手段は前記記録を行うか否かを切り換え、
前記第二の記録手段が前記記録を行った後、記録が行われたＤＭＡまたはＤＭＡの組に記録されたデータとＢＤ−ＲＥが有するユーザデータ領域に記録されたユーザデータとの整合性を確認する確認手段を備え、
前記読み出し手段が複数のＤＭＡまたは複数のＤＭＡの組から読み出した各データが同一であるか否かに応じて前記第一の記録手段は前記記録を行うか否かを切り換え、前記消去手段は前記消去を行うか否かを切り換える、ことを特徴とする光ディスク装置。
【請求項３】
記憶媒体と、
ＢＤ−ＲＥ（Ｂｌｕ−ｒａｙ  Ｄｉｓｃ  ＲＥｗｒｉｔａｂｌｅ）が有する少なくとも一つのＤＭＡ（Ｄｅｆｅｃｔ  Ｍａｎａｇｅｍｅｎｔ  Ａｒｅａ）または少なくとも一つのＤＭＡの組からデータを読み出す読み出し手段と、
前記読み出し手段によって読み出されたデータの一つを前記記憶媒体に記憶させる記憶手段と、
前記読み出し手段によって読み出されたデータを前記少なくとも一つのＤＭＡまたは前記少なくとも一つのＤＭＡの組から消去する消去手段と、
前記記憶手段に記憶されたデータをＢＤ−ＲＥが有する少なくとも一つのＤＭＡまたは少なくとも一つのＤＭＡの組に記録させる記録手段と、
を備えることを特徴とする光ディスク装置。
【請求項４】
前記記憶手段は、ＢＤ−ＲＥに記録された最終記録日時情報および／またはＭＩＤ（Manufacturer's Identification）コードを前記記憶媒体に記憶させ、
ＢＤ−ＲＥに記録された最終記録日時情報と前記記憶媒体に記憶された最終記録日時情報との比較結果および／またはＢＤ−ＲＥに記録されたＭＩＤコードと前記記憶媒体に記憶されたＭＩＤコードとの比較結果に応じて前記記録手段は前記記録をするか否かを切り換える、ことを特徴とする請求項３に記載の光ディスク装置。
【請求項５】
前記記録手段が前記記録を行った後、記録が行われたＤＭＡまたはＤＭＡの組に記録されたデータとＢＤ−ＲＥが有するユーザデータ領域に記録されたユーザデータとの整合性を確認する確認手段を備えることを特徴とする請求項３に記載の光ディスク装置。
【請求項６】
前記読み出し手段が複数のＤＭＡまたは複数のＤＭＡの組から読み出した各データが同一であるか否かに応じて前記記憶手段は前記記憶を行うか否かを切り換え、前記消去手段は前記消去を行うか否かを切り換えることを特徴とする請求項３に記載の光ディスク装置。
【請求項７】
ＢＤ−ＲＥ（Ｂｌｕ−ｒａｙ  Ｄｉｓｃ  ＲＥｗｒｉｔａｂｌｅ）が有する少なくとも一つのＤＭＡ（Ｄｅｆｅｃｔ  Ｍａｎａｇｅｍｅｎｔ  Ａｒｅａ）または少なくとも一つのＤＭＡの組からデータを読み出す読み出し手段と、
前記読み出し手段によって読み出されたデータの一つを前記ＢＤ−ＲＥが有する所定の領域に記録させる第一の記録手段と、
前記読み出し手段によって読み出されたデータを前記少なくとも一つのＤＭＡまたは前記少なくとも一つのＤＭＡの組から消去する消去手段と、
前記所定の領域に記憶されたデータをＢＤ−ＲＥが有する少なくとも一つのＤＭＡまたは少なくとも一つのＤＭＡの組に記録させる第二の記録手段と、
を備えることを特徴とする光ディスク装置。
【請求項８】
前記第一の記録手段は、ドライブ固有情報および／またはＢＤ−ＲＥに記録された最終記録日時情報を前記所定の領域に記録させ、
前記所定の領域に記録されたドライブ固有情報が所定のドライブの一つを表すか否か、および／またはＢＤ−ＲＥに記録された最終記録日時情報と前記所定の領域に記録された最終記録日時情報との比較結果に応じて前記第二の記録手段は前記記録を行うか否かを切り換える、ことを特徴とする請求項７に記載の光ディスク装置。
【請求項９】
前記第二の記録手段が前記記録を行った後、記録が行われたＤＭＡまたはＤＭＡの組に記録されたデータとＢＤ−ＲＥが有するユーザデータ領域に記録されたユーザデータとの整合性を確認する確認手段を備えることを特徴とする請求項７に記載の光ディスク装置。
【請求項１０】
前記読み出し手段が複数のＤＭＡまたは複数のＤＭＡの組から読み出した各データが同一であるか否かに応じて前記第一の記録手段は前記記録を行うか否かを切り換え、前記消去手段は前記消去を行うか否かを切り換えることを特徴とする請求項７に記載の光ディスク装置。
【発明の詳細な説明】
【技術分野】
【０００１】
本発明は、光ディスク装置に関する。
【背景技術】
【０００２】
昨今、ＤＶＤよりも記録容量が大きなＢｌｕ−ｒａｙ  Ｄｉｓｃと呼ばれる光ディスクが登場している。Ｂｌｕ−ｒａｙ  Ｄｉｓｃには種類がいくつかあり、その中に相変化記録を特徴とする書換え可能なＢＤ−ＲＥ（Ｂｌｕ−ｒａｙ  Ｄｉｓｃ  ＲＥｗｒｉｔａｂｌｅ）がある。
【０００３】
ＢＤ−ＲＥはユーザデータ領域やＤＭＡ（Ｄｅｆｅｃｔ  Ｍａｎａｇｅｍｅｎｔ  Ａｒｅａ）と呼ばれる領域を有している。ＢＤ−ＲＥを用いた記録では、ユーザデータ領域にユーザデータが記録され、ＤＭＡにはユーザデータ領域の記録状態の情報等が記録される。また、ユーザデータ領域に記録されたユーザデータを全て消去することも可能であり、ユーザデータ領域の全てを再使用することが可能である。
【０００４】
しかし、ＢＤ−ＲＥは記録容量が大容量（１層ディスクでは２３Ｇｂｙｔｅ、２５Ｇｂｙｔｅ、２７Ｇｂｙｔｅの３種類が規格により規定、２層ディスクではそれらの倍の容量）であるため、ユーザデータを全て消去する場合、非常に時間がかかってしまう。そこで、従来の光ディスク装置には高速消去モードと呼ばれるモードを有するものがある。高速消去モードでは、ユーザデータは消去されずに、ＤＭＡに記録されたデータが消去される。このような高速消去がされたＢＤ−ＲＥを光ディスク装置は、ＤＭＡに記録されたデータが失われているため未記録ディスクであると認識する。
【０００５】
なお、本発明に関連するものとしては例えば特許文献１にフロッピー（登録商標）ディスクの初期化についての発明が開示されている。
【特許文献１】特開平５−２９０５１４号公報
【発明の開示】
【発明が解決しようとする課題】
【０００６】
しかし、上記従来の光ディスク装置では、ＢＤ−ＲＥの高速消去処理後、ＢＤ−ＲＥに消去されずに残っているユーザデータを再度読み取り可能にしたいとユーザが所望したとしてもなんら対処をとることができないという問題があった。
【０００７】
そこで、本発明は、ＢＤ−ＲＥの高速消去処理後、ユーザがユーザデータを再度読み取り可能にしたい場合、再度ユーザデータを読み取り可能とすることができる光ディスク装置を提供することを目的とする。
【課題を解決するための手段】
【０００８】
上記目的を達成するために本発明の光ディスク装置は、記憶媒体と、
ＢＤ−ＲＥ（Ｂｌｕ−ｒａｙ  Ｄｉｓｃ  ＲＥｗｒｉｔａｂｌｅ）が有する少なくとも一つのＤＭＡ（Ｄｅｆｅｃｔ  Ｍａｎａｇｅｍｅｎｔ  Ａｒｅａ）または少なくとも一つのＤＭＡの組からデータを読み出す読み出し手段と、
前記読み出し手段によって読み出されたデータの一つを前記記憶媒体に記憶させる記憶手段と、
前記読み出し手段によって読み出されたデータを前記少なくとも一つのＤＭＡまたは前記少なくとも一つのＤＭＡの組から消去する消去手段と、
前記記憶手段に記憶されたデータをＢＤ−ＲＥが有する少なくとも一つのＤＭＡまたは少なくとも一つのＤＭＡの組に記録させる記録手段と、
を備えることを特徴としている。
【０００９】
このような構成によれば、ＢＤ−ＲＥの高速消去処理後、ユーザがユーザデータを再度読み取り可能にしたい場合、ＢＤ−ＲＥにＤＭＡのデータを復帰することができ、再度ユーザデータが読み取り可能となる。
【００１０】
また、本発明の光ディスク装置は上記構成において、前記記憶手段は、ＢＤ−ＲＥに記録された最終記録日時情報および／またはＭＩＤ（Manufacturer's Identification）コードを前記記憶媒体に記憶させ、
ＢＤ−ＲＥに記録された最終記録日時情報と前記記憶媒体に記憶された最終記録日時情報との比較結果および／またはＢＤ−ＲＥに記録されたＭＩＤコードと前記記憶媒体に記憶されたＭＩＤコードとの比較結果に応じて前記記録手段は前記記録をするか否かを切り換えることを特徴としている。
【００１１】
このような構成によれば、高速消去処理後にディスクが装置外部に取り出され、別のディスクが装置に挿入された場合でもそのディスクを復帰処理の対象外とすることができる。
【００１２】
また、本発明の光ディスク装置は上記構成において、前記記録手段が前記記録を行った後、記録が行われたＤＭＡまたはＤＭＡの組に記録されたデータとＢＤ−ＲＥが有するユーザデータ領域に記録されたユーザデータとの整合性を確認する確認手段を備えることを特徴としている。
【００１３】
このような構成によれば、ユーザはディスク復帰処理が成功したのか失敗したのかを確認できる。
【００１４】
また、本発明の光ディスク装置は上記構成において、前記読み出し手段が複数のＤＭＡまたは複数のＤＭＡの組から読み出した各データが同一であるか否かに応じて前記記憶手段は前記記憶を行うか否かを切り換え、前記消去手段は前記消去を行うか否かを切り換えることを特徴としている。
【００１５】
このような構成によれば、ＤＭＡのデータが破壊されている可能性がある場合に高速消去処理を中断することができる。
【００１６】
また、本発明の光ディスク装置は、ＢＤ−ＲＥ（Ｂｌｕ−ｒａｙ  Ｄｉｓｃ  ＲＥｗｒｉｔａｂｌｅ）が有する少なくとも一つのＤＭＡ（Ｄｅｆｅｃｔ  Ｍａｎａｇｅｍｅｎｔ  Ａｒｅａ）または少なくとも一つのＤＭＡの組からデータを読み出す読み出し手段と、
前記読み出し手段によって読み出されたデータの一つを前記ＢＤ−ＲＥが有する所定の領域に記録させる第一の記録手段と、
前記読み出し手段によって読み出されたデータを前記少なくとも一つのＤＭＡまたは前記少なくとも一つのＤＭＡの組から消去する消去手段と、
前記所定の領域に記憶されたデータをＢＤ−ＲＥが有する少なくとも一つのＤＭＡまたは少なくとも一つのＤＭＡの組に記録させる第二の記録手段と、
を備えることを特徴としている。
【００１７】
このような構成によっても、ＢＤ−ＲＥの高速消去処理後、ユーザがユーザデータを再度読み取り可能にしたい場合、ＢＤ−ＲＥにＤＭＡのデータを復帰することができ、再度ユーザデータが読み取り可能となる。
【００１８】
また、本発明の光ディスク装置は上記構成において、前記第一の記録手段は、ドライブ固有情報および／またはＢＤ−ＲＥに記録された最終記録日時情報を前記所定の領域に記録させ、
前記所定の領域に記録されたドライブ固有情報が所定のドライブの一つを表すか否か、および／またはＢＤ−ＲＥに記録された最終記録日時情報と前記所定の領域に記録された最終記録日時情報との比較結果に応じて前記第二の記録手段は前記記録を行うか否かを切り換えることを特徴としている。
【００１９】
このような構成によれば、対応していない光ディスク装置で処理されたディスクや、高速消去処理後新たにユーザデータが記録されたディスクを復帰処理の対象外とすることができる。
【００２０】
また、本発明の光ディスク装置は上記構成において、前記第二の記録手段が前記記録を行った後、記録が行われたＤＭＡまたはＤＭＡの組に記録されたデータとＢＤ−ＲＥが有するユーザデータ領域に記録されたユーザデータとの整合性を確認する確認手段を備えることを特徴としている。
【００２１】
このような構成によれば、ユーザはディスク復帰処理が成功したのか失敗したのかを確認できる。
【００２２】
また、本発明の光ディスク装置は上記構成において、前記読み出し手段が複数のＤＭＡまたは複数のＤＭＡの組から読み出した各データが同一であるか否かに応じて前記第一の記録手段は前記記録を行うか否かを切り換え、前記消去手段は前記消去を行うか否かを切り換えることを特徴としている。
【００２３】
このような構成によれば、ＤＭＡのデータが破壊されている可能性がある場合に高速消去処理を中断することができる。
【発明の効果】
【００２４】
本発明の光ディスク装置によれば、ＢＤ−ＲＥの高速消去処理後、ユーザがユーザデータを再度読み取り可能にしたい場合、再度ユーザデータを読み取り可能とすることができる。
【発明を実施するための最良の形態】
【００２５】
以下、本発明の実施形態について図面を参照し説明する。
【００２６】
図１に、本発明に係る光ディスク装置のブロック構成図を示す。本発明に係る光ディスク装置は、チューナ２と、ディスク記録再生部３と、映像音声圧縮伸長部４と、制御部５と、ＯＳＤ部６と、映像出力部７と、音声出力部８と、ＲＡＭ９と、リモコン受信部１０とを備える。チューナ２にはアンテナ１が接続され、映像出力部７および音声出力部８にはテレビ等が接続される。
【００２７】
アンテナ１は電波信号を高周波信号に変換してチューナ２に出力し、チューナ２はアンテナ１からの高周波信号から制御部５の選局制御に応じたチャンネルの高周波信号を抽出し映像信号および音声信号を映像音声圧縮伸長部４に出力する。映像音声圧縮伸長部４はチューナ２からの映像信号および音声信号を圧縮してディスク記録再生部３に出力したり、ディスク記録再生部３からの映像信号および音声信号を伸長して映像信号をＯＳＤ部６に出力し音声信号を音声出力部８に出力したりする。
【００２８】
ディスク記録再生部３は挿入されたディスクに対してデータの読み出し、記録、消去を行う。ＯＳＤ部６は、制御部５の指示により文字図形信号を生成し、映像音声圧縮伸長部４からの映像信号と文字図形信号を合成し、合成信号を映像出力部７に出力する。また、ＯＳＤ部６は、上記合成をせずに文字図形信号を映像出力部７に出力もする。映像出力部７は、ＯＳＤ部６からの合成信号や文字図形信号をビデオ信号に変換してテレビ等に出力する。音声出力部８は映像音声圧縮伸長部４からの音声信号をアナログ信号に変換してテレビ等に出力する。リモコン受信部１０は、リモコン１１から赤外線信号を受信しコード信号を制御部５に出力する。
【００２９】
（第１実施形態）
次に、上記構成の本発明に係る光ディスク装置による高速消去処理の第１実施形態について図５のフローチャートに沿って説明する。
【００３０】
リモコン１１において高速消去処理開始の操作がされ制御部５がコード信号をリモコン受信部１０から受信すると、ステップＳ１０で、制御部５はＲＡＭ９に記憶されたディスク種別情報を確認する。このディスク種別情報は、ディスクがディスク記録再生部３に挿入されたときに制御部５がディスクの種類を認識しＲＡＭ９に記憶させる情報である。もし、ディスク種別情報がＢＤ−ＲＥの１層ディスクを表している場合は、ステップＳ２０に進む。
【００３１】
ここで、図２は、ＢＤ−ＲＥの１層ディスクが有するリードイン領域の構造を示し、図３は、ＢＤ−ＲＥの１層ディスクが有するリードアウト領域の構造を示す。図４上段のように、ディスクの内周側から外周側に向かってリードイン領域、ユーザデータ領域、リードアウト領域が配置される。ユーザデータ領域にはユーザデータが記憶される。リードイン領域は２つのＤＭＡ（Ｄｅｆｅｃｔ  Ｍａｎａｇｅｍｅｎｔ  Ａｒｅａ）であるＤＭＡ１、ＤＭＡ２を有しており、リードアウト領域も２つのＤＭＡであるＤＭＡ３、ＤＭＡ４を有している。ＤＭＡにはユーザデータ領域の記録状態の情報等が記録され、ＤＭＡ１のみ使用される場合と、ＤＭＡ１を含む複数のＤＭＡが使用される場合（例えば、ＤＭＡ１〜ＤＭＡ４の全てを使用等）がある。ＤＭＡ１を含む複数のＤＭＡが使用される場合は、各ＤＭＡには同一のデータが記録される。また、ディスクにはユーザデータが記録された最終の日時の情報（最終記録日時情報）も記録される。
【００３２】
ステップＳ２０で、制御部５の指示によりディスク記録再生部３がＤＭＡ１、ＤＭＡ２、ＤＭＡ３、ＤＭＡ４に対して順次データ読み出し処理を行う。もし、ＤＭＡ１のみにデータが記録されていた場合は、後述するステップＳ４０に進む。また、もしＤＭＡ１を含む複数のＤＭＡにデータが記録されていた場合は、ステップＳ３０に進む。
【００３３】
ステップＳ３０で、制御部５は各ＤＭＡから読み出されたデータが同一であるか否かを判定し、もし同一でなければ（ステップＳ３０のＮ）、ＤＭＡに記録されたデータが破壊されている可能性があるので、制御部５はＯＳＤ部６に図形文字信号を生成するよう指示し、テレビ等にディスクが不正である旨が表示され、高速消去処理は中断される。また、ステップＳ３０で各ＤＭＡから読み出されたデータが同一であると判定された場合は（ステップＳ３０のＹ）、ステップＳ４０に進む。
【００３４】
ステップＳ４０で、制御部５は、ＤＭＡ１から読み出されたデータを退避情報として先頭にヘッダ情報を付与してＲＡＭ９に記憶させる。ここでヘッダ情報は、ディスクに記録されている最終記録日時情報およびＭＩＤ（Manufacturer's Identification）コードに加え、ＤＭＡ使用パターン情報である。ＤＭＡ使用パターン情報とは、使用されているＤＭＡを示す情報である。
【００３５】
そして、ステップＳ５０で、制御部５の指示によりディスク記録再生部３は、ステップＳ２０で読み出したデータをＤＭＡから消去する。ＤＭＡ１のみ使用の場合はＤＭＡ１のみからデータが消去され、ＤＭＡ１を含む複数のＤＭＡが使用されている場合はその各ＤＭＡからデータが消去される。これで高速消去処理は完了し、ディスクは未記録ディスクと同等の状態となる。
【００３６】
また、上記ステップＳ１０で、ディスク種別情報がＢＤ−ＲＥの２層ディスクを表している場合は、ステップＳ６０に進む。
【００３７】
ここで図４の下段は、ＢＤ−ＲＥの２層ディスクの構造を示す。ディスクの１層目には内周側から外周側へ向かってリードイン領域、ユーザデータ領域、アウター領域が配置され、リードイン領域は図２のように構成されＤＭＡ１およびＤＭＡ２を有し、アウター領域は図３のように構成されＤＭＡ３およびＤＭＡ４を有する。また、ディスクの２層目には内周側から外周側へ向かってリードアウト領域、ユーザデータ領域、アウター領域が配置され、リードアウト領域はほぼ図２のように構成されＤＭＡ１およびＤＭＡ２を有し、アウター領域は図３のように構成されＤＭＡ３およびＤＭＡ４を有する。１層目のＤＭＡ１と２層目のＤＭＡ１は一組として使用され、ＤＭＡ２、ＤＭＡ３、ＤＭＡ４についても同様である。また、ＤＭＡ１の組のみ使用される場合と、ＤＭＡ１の組を含む複数のＤＭＡの組が使用される場合がある。ＤＭＡ１の組を含む複数のＤＭＡの組が使用される場合は、各ＤＭＡの組には同一のデータが記録される。また、最終記録日時情報もディスクに記録される。
【００３８】
ステップＳ６０で、制御部５の指示によりディスク記録再生部３がＤＭＡ１の組、ＤＭＡ２の組、ＤＭＡ３の組、ＤＭＡ４の組に対して順次データ読み出し処理を行う。もし、ＤＭＡ１の組のみにデータが記録されていた場合は、後述するステップＳ８０に進む。また、もしＤＭＡ１の組を含む複数のＤＭＡの組にデータが記録されていた場合は、ステップＳ７０に進む。
【００３９】
ステップＳ７０で、制御部５は各ＤＭＡの組から読み出されたデータが同一であるか否かを判定し、もし同一でなければ（ステップＳ７０のＮ）、ＤＭＡの組に記録されたデータが破壊されている可能性があるので、制御部５はＯＳＤ部６に図形文字信号を生成するよう指示し、テレビ等にディスクが不正である旨が表示され、高速消去処理は中断される。また、ステップＳ７０で各ＤＭＡの組から読み出されたデータが同一であると判定された場合は（ステップＳ７０のＹ）、ステップＳ８０に進む。
【００４０】
ステップＳ８０で、制御部５は、ＤＭＡ１の組から読み出されたデータを退避情報として先頭にヘッダ情報を付与してＲＡＭ９に記憶させる。ここでヘッダ情報は、ディスクに記録されている最終記録日時情報およびＭＩＤコードに加え、ＤＭＡ使用パターン情報である。ＤＭＡ使用パターン情報とは、使用されているＤＭＡの組を示す情報である。
【００４１】
そして、ステップＳ９０で、制御部５の指示によりディスク記録再生部３は、ステップＳ６０で読み出したデータをＤＭＡの組から消去する。ＤＭＡ１の組のみ使用の場合はＤＭＡ１の組のみからデータが消去され、ＤＭＡ１の組を含む複数のＤＭＡの組が使用されている場合はその各ＤＭＡの組からデータが消去される。これで高速消去処理は完了し、ディスクは未記録ディスクと同等の状態となる。
【００４２】
次に、本発明に係る光ディスク装置によるディスク復帰処理の第１実施形態について図６のフローチャートに沿って説明する。
【００４３】
リモコン１１においてディスク復帰処理開始の操作がされ制御部５がコード信号をリモコン受信部１０から受信すると、ステップＳ１００で、制御部５はＲＡＭ９にヘッダ情報および退避情報が記憶されているかを確認し、もし記憶されていない場合は（ステップＳ１００のＮ）、制御部５はＯＳＤ部６に図形文字信号を生成するよう指示し、テレビ等にディスク復帰処理が不可能である旨が表示され、ディスク復帰処理は中断される。また、ステップＳ１００でＲＡＭ９にヘッダ情報および退避情報が記憶されていることが確認されると（ステップＳ１００のＹ）、ステップＳ１１０に進む。
【００４４】
ステップＳ１１０で、制御部５はＲＡＭ９に記憶されたディスク種別情報を確認し、ディスク種別情報がＢＤ−ＲＥの１層ディスクを表している場合はステップＳ１２０に進む。
【００４５】
ステップＳ１２０で、制御部５は、ディスク記録再生部３を用いてディスクが有するＤＭＡ１〜ＤＭＡ４のいずれかに前述の消去対象のデータが記録されているか否かを確認し、もし記録されていれば（ステップＳ１２０のＹ）、制御部５はＯＳＤ部６に図形文字信号を生成するよう指示し、テレビ等にディスク復帰処理が不可能である旨が表示され、ディスク復帰処理は中断される。これにより、高速消去処理後に新たにユーザデータが記録されたディスクを復帰処理の対象から外すことができる。また、ステップＳ１２０でＤＭＡ１〜ＤＭＡ４のいずれにも前述の消去対象のデータが記録されていない場合は（ステップＳ１２０のＮ）、ステップＳ１３０に進む。
【００４６】
ステップＳ１３０で、制御部５は、ディスク記録再生部３がディスクから読み出した最終記録日時情報とＲＡＭ９に記憶された最終記録日時情報とが一致し、かつ、ディスク記録再生部３がディスクから読み出したＭＩＤコードとＲＡＭ９に記憶されたＭＩＤコードとが一致するか否かを確認する。もし、最終記録日時情報とＭＩＤコードのいずれかが一致しない場合は（ステップＳ１３０のＮ）、制御部５はＯＳＤ部６に図形文字信号を生成するよう指示し、テレビ等にディスク復帰処理が不可能である旨が表示され、ディスク復帰処理は中断される。これにより、高速消去処理後にディスクが装置外部に取り出され、別の高速消去処理されたディスクが装置に挿入された場合でもそのディスクを復帰処理の対象から外すことができる。また、ステップＳ１３０で最終記録日時情報とＭＩＤコードのいずれもが一致する場合は（ステップＳ１３０のＹ）、ステップＳ１４０に進む。
【００４７】
ステップＳ１４０で、制御部５の指示によりディスク記録再生部３は、ＲＡＭ９に記憶されたＤＭＡ使用パターン情報に応じてＲＡＭ９に記憶された退避情報をディスクが有するＤＭＡに記録させる。例えば、ＤＭＡ使用パターン情報がＤＭＡ１のみを示す場合は、ディスクが有するＤＭＡ１のみに退避情報が記録され、ＤＭＡ使用パターン情報がＤＭＡ１〜ＤＭＡ４を示す場合は、ディスクが有するＤＭＡ１〜ＤＭＡ４に退避情報が記録される。
【００４８】
そして、ステップＳ１５０で、制御部５は、ＲＡＭ９に記憶されたヘッダ情報および退避情報を削除する。
【００４９】
そして、ステップＳ１６０で、制御部５はディスク記録再生部３を用いてディスクが有する使用されている全てのＤＭＡに記録されたデータとディスクが有するユーザデータ領域に記録されたユーザデータとの整合性を確認する。そしてもし、使用されているＤＭＡのいずれかについて整合性がとれていない場合は（ステップＳ１６０のＮ）、制御部５はＯＳＤ部６に図形文字信号を生成するよう指示し、テレビ等に復帰処理失敗の旨が表示される。また、使用されているＤＭＡの全てについて整合性がとれている場合は（ステップＳ１６０のＹ）、制御部５はＯＳＤ部６に図形文字信号を生成するよう指示し、テレビ等に復帰処理成功の旨が表示される。
【００５０】
また、上記ステップＳ１１０で、ディスク種別情報がＢＤ−ＲＥの２層ディスクを表している場合はステップＳ１７０に進む。
【００５１】
ステップＳ１７０で、制御部５は、ディスク記録再生部３を用いてディスクが有するＤＭＡ１の組〜ＤＭＡ４の組のいずれかに前述の消去対象のデータが記録されているか否かを確認し、もし記録されていれば（ステップＳ１７０のＹ）、制御部５はＯＳＤ部６に図形文字信号を生成するよう指示し、テレビ等にディスク復帰処理が不可能である旨が表示され、ディスク復帰処理は中断される。これにより、高速消去処理後に新たにユーザデータが記録されたディスクを復帰処理の対象から外すことができる。また、ステップＳ１７０でＤＭＡ１〜ＤＭＡ４のいずれにも前述の消去対象のデータが記録されていない場合は（ステップＳ１７０のＮ）、ステップＳ１８０に進む。
【００５２】
ステップＳ１８０で、制御部５は、ディスク記録再生部３がディスクから読み出した最終記録日時情報とＲＡＭ９に記憶された最終記録日時情報とが一致し、かつ、ディスク記録再生部３がディスクから読み出したＭＩＤコードとＲＡＭ９に記憶されたＭＩＤコードとが一致するか否かを確認する。もし、最終記録日時情報とＭＩＤコードのいずれかが一致しない場合は（ステップＳ１８０のＮ）、制御部５はＯＳＤ部６に図形文字信号を生成するよう指示し、テレビ等にディスク復帰処理が不可能である旨が表示され、ディスク復帰処理は中断される。これにより、高速消去処理後にディスクが装置外部に取り出され、別の高速消去処理されたディスクが装置に挿入された場合でもそのディスクを復帰処理の対象から外すことができる。また、ステップＳ１８０で最終記録日時情報とＭＩＤコードのいずれもが一致する場合は（ステップＳ１８０のＹ）、ステップＳ１９０に進む。
【００５３】
ステップＳ１９０で、制御部５の指示によりディスク記録再生部３は、ＲＡＭ９に記憶されたＤＭＡ使用パターン情報に応じてＲＡＭ９に記憶された退避情報をディスクが有するＤＭＡの組に記録させる。例えば、ＤＭＡ使用パターン情報がＤＭＡ１の組のみを示す場合は、ディスクが有するＤＭＡ１の組のみに退避情報が記録され、ＤＭＡ使用パターン情報がＤＭＡ１の組〜ＤＭＡ４の組を示す場合は、ディスクが有するＤＭＡ１の組〜ＤＭＡ４の組に退避情報が記録される。
【００５４】
そして、ステップＳ２００で、制御部５は、ＲＡＭ９に記憶されたヘッダ情報および退避情報を削除する。
【００５５】
そして、ステップＳ２１０で、制御部５はディスク記録再生部３を用いてディスクが有する使用されている全てのＤＭＡの組に記録されたデータとディスクが有するユーザデータ領域に記録されたユーザデータとの整合性を確認する。そしてもし、使用されているＤＭＡの組のいずれかについて整合性がとれていない場合は（ステップＳ２１０のＮ）、制御部５はＯＳＤ部６に図形文字信号を生成するよう指示し、テレビ等に復帰処理失敗の旨が表示される。また、使用されているＤＭＡの組の全てについて整合性がとれている場合は（ステップＳ２１０のＹ）、制御部５はＯＳＤ部６に図形文字信号を生成するよう指示し、テレビ等に復帰処理成功の旨が表示される。
【００５６】
このように本実施形態によれば、一度ＢＤ−ＲＥに対して高速消去処理を行いディスクが未記録ディスクと同等の状態となり、その後ユーザがユーザデータを再度読み取り可能としたい場合でも、ＲＡＭに退避させたＤＭＡのデータをディスクに復帰させることで、ユーザデータを再度読み取り可能とすることができる。
【００５７】
なお、上記高速消去処理の第１実施形態において、ステップＳ４０およびステップＳ８０では、ヘッダ情報として最終記録日時情報およびＭＩＤコードをＲＡＭ９に記憶させたが、制御部５がディスクに記録された最終記録日時情報およびＭＩＤコードに基づき固有ＩＤを生成し、該固有ＩＤをヘッダ情報としてＲＡＭ９に記憶させるようにしてもよい。この場合、上記ディスク復帰処理の第１実施形態において、ステップＳ１３０およびステップＳ１８０では、制御部５がディスクに記録された最終記録日時情報およびＭＩＤコードに基づき固有ＩＤを生成し、生成された固有ＩＤがＲＡＭ９に記憶された固有ＩＤと一致するかを確認するようにすればよい。このとき、各固有ＩＤが一致すれば、ステップＳ１４０またはステップＳ１９０に進み、一致しなければ、ディスク復帰処理が不可能である旨の表示をさせるようにすればよい。これによっても、高速消去処理後にディスクが装置外部に取り出され、別の高速消去処理されたディスクが装置に挿入された場合でもそのディスクを復帰処理の対象から外すことができる。
【００５８】
また、上記高速消去処理の第１実施形態において、ステップＳ４０およびステップＳ８０で、ヘッダ情報としてはＤＭＡ使用パターン情報のみとし、上記ディスク復帰処理の第１実施形態において、ステップＳ１３０およびステップＳ１８０は行わず、ステップＳ１２０のＮであればステップＳ１４０に進み、ステップＳ１７０のＮであればステップＳ１９０に進むようにしてもよい。この場合、ディスク記録再生部３が有するディスク取り出しボタンが押され、ディスク記録再生部３が挿入されているディスクを外部に排出したとき、制御部５がＲＡＭ９に記憶されたヘッダ情報および退避情報を削除するようにすればよい。このようにすれば、高速消去処理後にディスクが装置外部に取り出され別のディスクが装置に挿入されディスク復帰処理が開始されても、ＲＡＭ９にヘッダ情報および退避情報が記憶されていないため、ステップＳ１００の判定によりディスク復帰処理が不可能の旨が表示され、上記別のディスクを復帰処理の対象から外すことができる。
【００５９】
また、以上の実施形態において、ヘッダ情報および退避情報の記憶先としてはＲＡＭの他、ハードディスクドライブが有するハードディスク等としてもよい。
【００６０】
（第２実施形態）
次に、本発明に係る光ディスク装置による高速消去処理の第２実施形態について以下図７のフローチャートを用いて説明する。
【００６１】
図７においてステップＳ２５０およびステップＳ２９０以外は前述した第１実施形態の図５と同様であるので詳説を省く。ここでは、ステップＳ２５０およびステップＳ２９０について説明する。
【００６２】
ステップＳ２５０で、制御部５はディスク記録再生部３を用いて、ＤＭＡ１から読み出されたデータを退避情報として先頭にヘッダ情報を付与してディスクが有するＲｅｓｅｒｖｅｄ領域（例えば、図２におけるＲｅｓｅｒｖｅｄ３，２，１）に記録させる。ここでヘッダ情報は、ドライブ固有情報、ディスクに記録されている最終記録日時情報に加え、ＤＭＡ使用パターン情報である。
【００６３】
また、ステップ２９０では、制御部５はディスク記録再生部３を用いて、ＤＭＡ１の組から読み出されたデータを退避情報として先頭にヘッダ情報を付与してディスクが有するＲｅｓｅｒｖｅｄ領域（例えば、図２におけるＲｅｓｅｒｖｅｄ３，２，１）に記録させる。ここでヘッダ情報は、ドライブ固有情報、ディスクに記録されている最終記録日時情報に加え、ＤＭＡ使用パターン情報である。
【００６４】
次に、本発明に係る光ディスク装置によるディスク復帰処理の第２実施形態について以下図８のフローチャートに沿って説明する。
【００６５】
リモコン１１においてディスク復帰処理開始の操作がされ制御部５がコード信号をリモコン受信部１０から受信すると、ステップＳ３１０で、制御部５はＲＡＭ９に記憶されたディスク種別情報を確認し、ディスク種別情報がＢＤ−ＲＥの１層ディスクを表している場合はステップＳ３２０に進む。
【００６６】
ステップＳ３２０で、制御部５はディスク記録再生部３を用いて、ディスクが有するＲｅｓｅｒｖｅｄ領域にヘッダ情報および退避情報が記録されているか否かを確認する。もし、ヘッダ情報と退避情報のいずれかが記録されていない場合は（ステップＳ３２０のＮ）、制御部５はＯＳＤ部６に図形文字信号を生成するよう指示し、テレビ等にディスク復帰処理が不可能である旨が表示され、ディスク復帰処理は中断される。また、もしステップＳ３２０で、Ｒｅｓｅｒｖｅｄ領域にヘッダ情報および退避情報が記録されている場合は（ステップＳ３２０のＹ）、ステップＳ３３０に進む。
【００６７】
ステップＳ３３０で、制御部５はディスク記録再生部３を用いて、ディスクが有するＤＭＡ１〜ＤＭＡ４のいずれかに消去対象のデータが記録されているか否かを確認し、もし記録されていれば（ステップＳ３３０のＹ）、制御部５はＯＳＤ部６に図形文字信号を生成するよう指示し、テレビ等にディスク復帰処理が不可能である旨が表示され、ディスク復帰処理は中断される。これにより、高速消去処理後に新たにユーザデータが記録されたディスクを復帰処理の対象から外すことができる。また、ステップＳ３３０でＤＭＡ１〜ＤＭＡ４のいずれにも消去対象のデータが記録されていない場合は（ステップＳ３３０のＮ）、ステップＳ３４０に進む。
【００６８】
ステップＳ３４０で、制御部５はディスク記録再生部３を用いて、ディスクが有するＲｅｓｅｒｖｅｄ領域に記録されたドライブ固有情報が所定のドライブの一つを表しているか否かを確認する。もし、所定のドライブのいずれも表していなければ（ステップＳ３４０のＮ）、制御部５はＯＳＤ部６に図形文字信号を生成するよう指示し、テレビ等にディスク復帰処理が不可能である旨が表示され、ディスク復帰処理は中断される。これにより、対応していない光ディスク装置で処理がされたディスクを復帰処理の対象から外すことができる。また、ステップＳ３４０で、ドライブ固有情報が所定のドライブの一つを表している場合は（ステップＳ３４０のＹ）、ステップＳ３５０に進む。
【００６９】
ステップＳ３５０で、制御部５はディスク記録再生部３を用いて、ディスクが有するＲｅｓｅｒｖｅｄ領域に記録された最終記録日時情報が、ユーザデータ記録時にディスクに記録された最終記録日時情報と一致するか否かを確認する。もし一致しなければ（ステップＳ３５０のＮ）、制御部５はＯＳＤ部６に図形文字信号を生成するよう指示し、テレビ等にディスク復帰処理が不可能である旨が表示され、ディスク復帰処理は中断される。これにより、本発明に係る光ディスク装置において高速消去処理された後、別の光ディスク装置において新たにユーザデータが記録され高速消去処理されたディスクを復帰処理の対象から外すことができる。また、ステップＳ３５０で、各最終記録日時情報が一致する場合は（ステップＳ３５０のＹ）、ステップＳ３６０に進む。
【００７０】
ステップＳ３６０で、制御部５の指示によりディスク記録再生部３は、Ｒｅｓｅｒｖｅｄ領域に記録されたＤＭＡ使用パターン情報に応じてＲｅｓｅｒｖｅｄ領域に記憶された退避情報をディスクが有するＤＭＡに記録させる。例えば、ＤＭＡ使用パターン情報がＤＭＡ１のみを示す場合は、ディスクが有するＤＭＡ１のみに退避情報が記録され、ＤＭＡ使用パターン情報がＤＭＡ１〜ＤＭＡ４を示す場合は、ディスクが有するＤＭＡ１〜ＤＭＡ４に退避情報が記録される。
【００７１】
そして、ステップＳ３７０で、制御部５はディスク記録再生部３を用いて、Ｒｅｓｅｒｖｅｄ領域に記録されたヘッダ情報および退避情報を削除する。
【００７２】
そして、ステップＳ３８０で、制御部５はディスク記録再生部３を用いてディスクが有する使用されている全てのＤＭＡに記録されたデータとディスクが有するユーザデータ領域に記録されたユーザデータとの整合性を確認する。そしてもし、使用されているＤＭＡのいずれかについて整合性がとれていない場合は（ステップＳ３８０のＮ）、制御部５はＯＳＤ部６に図形文字信号を生成するよう指示し、テレビ等に復帰処理失敗の旨が表示される。また、使用されているＤＭＡの全てについて整合性がとれている場合は（ステップＳ３８０のＹ）、制御部５はＯＳＤ部６に図形文字信号を生成するよう指示し、テレビ等に復帰処理成功の旨が表示される。
【００７３】
また、上記ステップＳ３１０で、ディスク種別情報がＢＤ−ＲＥの２層ディスクを表している場合はステップＳ３９０に進む。
【００７４】
ステップＳ３９０で、制御部５はディスク記録再生部３を用いて、ディスクが有するＲｅｓｅｒｖｅｄ領域にヘッダ情報および退避情報が記録されているか否かを確認する。もし、ヘッダ情報と退避情報のいずれかが記録されていない場合は（ステップＳ３９０のＮ）、制御部５はＯＳＤ部６に図形文字信号を生成するよう指示し、テレビ等にディスク復帰処理が不可能である旨が表示され、ディスク復帰処理は中断される。また、もしステップＳ３９０で、Ｒｅｓｅｒｖｅｄ領域にヘッダ情報および退避情報が記録されている場合は（ステップＳ３９０のＹ）、ステップＳ４００に進む。
【００７５】
ステップＳ４００で、制御部５はディスク記録再生部３を用いて、ディスクが有するＤＭＡ１の組〜ＤＭＡ４の組のいずれかに消去対象のデータが記録されているか否かを確認し、もし記録されていれば（ステップＳ４００のＹ）、制御部５はＯＳＤ部６に図形文字信号を生成するよう指示し、テレビ等にディスク復帰処理が不可能である旨が表示され、ディスク復帰処理は中断される。これにより、高速消去処理後に新たにユーザデータが記録されたディスクを復帰処理の対象から外すことができる。また、ステップＳ４００でＤＭＡ１の組〜ＤＭＡ４の組のいずれにも消去対象のデータが記録されていない場合は（ステップＳ４００のＮ）、ステップＳ４１０に進む。
【００７６】
ステップＳ４１０で、制御部５はディスク記録再生部３を用いて、ディスクが有するＲｅｓｅｒｖｅｄ領域に記録されたドライブ固有情報が所定のドライブの一つを表しているか否かを確認する。もし、所定のドライブのいずれも表していなければ（ステップＳ４１０のＮ）、制御部５はＯＳＤ部６に図形文字信号を生成するよう指示し、テレビ等にディスク復帰処理が不可能である旨が表示され、ディスク復帰処理は中断される。これにより、対応していない光ディスク装置で処理がされたディスクを復帰処理の対象から外すことができる。また、ステップＳ４１０で、ドライブ固有情報が所定のドライブの一つを表している場合は（ステップＳ４１０のＹ）、ステップＳ４２０に進む。
【００７７】
ステップＳ４２０で、制御部５はディスク記録再生部３を用いて、ディスクが有するＲｅｓｅｒｖｅｄ領域に記録された最終記録日時情報が、ユーザデータ記録時にディスクに記録された最終記録日時情報と一致するか否かを確認する。もし一致しなければ（ステップＳ４２０のＮ）、制御部５はＯＳＤ部６に図形文字信号を生成するよう指示し、テレビ等にディスク復帰処理が不可能である旨が表示され、ディスク復帰処理は中断される。これにより、本発明に係る光ディスク装置において高速消去処理された後、別の光ディスク装置において新たにユーザデータが記録され高速消去処理されたディスクを復帰処理の対象から外すことができる。また、ステップＳ４２０で、各最終記録日時情報が一致する場合は（ステップＳ４２０のＹ）、ステップＳ４３０に進む。
【００７８】
ステップＳ４３０で、制御部５の指示によりディスク記録再生部３は、Ｒｅｓｅｒｖｅｄ領域に記録されたＤＭＡ使用パターン情報に応じてＲｅｓｅｒｖｅｄ領域に記録された退避情報をディスクが有するＤＭＡの組に記録させる。例えば、ＤＭＡ使用パターン情報がＤＭＡ１の組のみを示す場合は、ディスクが有するＤＭＡ１の組のみに退避情報が記録され、ＤＭＡ使用パターン情報がＤＭＡ１の組〜ＤＭＡ４の組を示す場合は、ディスクが有するＤＭＡ１の組〜ＤＭＡ４の組に退避情報が記録される。
【００７９】
そして、ステップＳ４４０で、制御部５はディスク記録再生部３を用いて、Ｒｅｓｅｒｖｅｄ領域に記録されたヘッダ情報および退避情報を削除する。
【００８０】
そして、ステップＳ４５０で、制御部５はディスク記録再生部３を用いてディスクが有する使用されている全てのＤＭＡの組に記録されたデータとディスクが有するユーザデータ領域に記録されたユーザデータとの整合性を確認する。そしてもし、使用されているＤＭＡの組のいずれかについて整合性がとれていない場合は（ステップＳ４５０のＮ）、制御部５はＯＳＤ部６に図形文字信号を生成するよう指示し、テレビ等に復帰処理失敗の旨が表示される。また、使用されているＤＭＡの組の全てについて整合性がとれている場合は（ステップＳ４５０のＹ）、制御部５はＯＳＤ部６に図形文字信号を生成するよう指示し、テレビ等に復帰処理成功の旨が表示される。
【００８１】
このように本実施形態によれば、一度ＢＤ−ＲＥに対して高速消去処理を行いディスクが未記録ディスクと同等の状態となり、その後ユーザがユーザデータを再度読み取り可能としたい場合でも、ディスクが有するＲｅｓｅｒｖｅｄ領域に退避させたＤＭＡのデータをディスクに復帰させることで、ユーザデータを再度読み取り可能とすることができる。
【００８２】
なお、上記第２実施形態の高速消去処理およびディスク復帰処理を行う光ディスク装置においては、リモコン１１におけるユーザデータ記録開始操作がされると、制御部５がディスク記録再生部３を用いて、ディスクが有するＲｅｓｅｒｖｅｄ領域にヘッダ情報および退避情報が記録されているか否かを確認し、もし記録されていればこれらの情報はユーザデータ記録後無駄な情報となるので、Ｒｅｓｅｒｖｅｄ領域に記録されたヘッダ情報および退避情報をディスク記録再生部３を用いて削除して、ユーザデータをディスクに記録させるようにするとよい。
【図面の簡単な説明】
【００８３】
【図１】は、本発明に係る光ディスク装置のブロック構成図である。
【図２】は、ＢＤ−ＲＥの１層ディスクが有するリードイン領域の構造図である。
【図３】は、ＢＤ−ＲＥの１層ディスクが有するリードアウト領域の構造図である。
【図４】は、ＢＤ−ＲＥの１層ディスクおよび２層ディスクの構造図である。
【図５】は、本発明に係る高速消去処理の第１実施形態に関するフローチャートである。
【図６】は、本発明に係るディスク復帰処理の第１実施形態に関するフローチャートである。
【図７】は、本発明に係る高速消去処理の第２実施形態に関するフローチャートである。
【図８】は、本発明に係るディスク復帰処理の第２実施形態に関するフローチャートである。
【符号の説明】
【００８４】
１    アンテナ
２    チューナ
３    ディスク記録再生部
４    映像音声圧縮伸長部
５    制御部
６    ＯＳＤ部
７    映像出力部
８    音声出力部
９    ＲＡＭ
１０    リモコン受信部
１１    リモコン
【図１】
2008146765.tif 000003
【図２】
2008146765.tif 000004
【図３】
2008146765.tif 000005
【図４】
2008146765.tif 000006
【図５】
2008146765.tif 000007
【図６】
2008146765.tif 000008
【図７】
2008146765.tif 000009
【図８】
2008146765.tif 000010